(57)【要約】【課題】ＬＣＤを設けることなく電子楽器のウェークアップ表示を行うことができるようにする。【解決手段】ＣＰＵ初期化検出部１７でＣＰＵ８の初期化を検出されたときから発音準備完了検出部１８で発音準備完了を検出するまで、ウェークアップ表示を行う。ウェークアップ表示は、複数の音色設定用ボタン４１を利用し、このボタン４１に一体化されているＬＥＤ表示部４１ａを予定のパターンで点灯させて行う。点灯パターン記憶部１６に複数の点灯パターンを記述したシーケンスを記憶しておき、その中の一つをランダムに、もしくは予定順序で読み出してＬＥＤ表示部４１ａ点灯させる。ＬＥＤ表示部４１ａは多色ＬＥＤで形成することができる。【選択図】　　　　図１
2004133136.tif 000002
【特許請求の範囲】
【請求項１】
操作パネル面に配置された複数の表示用ＬＥＤを有するＬＥＤ表示装置付き電子楽器において、
ＣＰＵのレジスタの初期化が終了した後、少なくとも音源装置の初期化およびエフェクト用ＤＳＰの初期化を含む発音準備が終了するまでの間、前記複数の表示用ＬＥＤを予定のウェークアップ表示パターンで点灯させる手段を具備したことを特徴とするＬＥＤ表示装置付き電子楽器。
【請求項２】
前記表示用ＬＥＤが、操作パネル面に配置された複数の音色設定用ボタンを少なくとも含むパラメータ設定用ボタンのＬＥＤ表示部であることを特徴とする請求項１記載のＬＥＤ表示装置付き電子楽器。
【請求項３】
前記パラメータ設定用ボタンが、前記ＬＥＤ表示部を一体で組み込んでいることを特徴とする請求項２記載のＬＥＤ表示装置付き電子楽器。
【請求項４】
前記表示用ＬＥＤの点灯が、発音準備後に使用されるテンポタイマを利用したタイマ割り込みによって行われることを特徴とする請求項１〜３のいずれかに記載のＬＥＤ表示装置付き電子楽器。
【請求項５】
前記表示用ＬＥＤが多色発光ＬＥＤであり、前記ウェークアップ表示パターンが、点灯色のバリエーションを含むことを特徴とする請求項１〜４のいずれかに記載のＬＥＤ表示装置付き電子楽器。
【発明の詳細な説明】
【０００１】
【発明の属する技術分野】
本発明は、電子楽器に関し、特に、起動後、発音準備中であることをＬＥＤ表示装置によって表示することができるＬＥＤ表示装置付き電子楽器に関する。
【０００２】
【従来の技術】
マイクロコンピュータを備えた電子ピアノや電子オルガン等の電子楽器において、発音準備が完了するまでの時間、大型液晶ディスプレイ（ＬＣＤ）にウェークアップ画面を表示させることが行われている。このウェークアップ画面を表示することによってユーザに電子楽器が正常に発音準備中であることを視覚的に認識させ、楽しませると共に何も表示しないためにユーザが「この楽器どうしちゃったのかな」との不安を抱かせないという作用がある。マイクロコンピュータがスリープ状態からウェークアップ状態になったことを表示する装置は、例えば、特開２００１−１１７５４６号公報に記載されている。
【０００３】
【発明が解決しようとする課題】
上記ウェークアップ画面を表示させることができるのは大型ＬＣＤを備えた電子楽器等に限られていて、比較的小型の、ＬＣＤを備える余裕のない電子楽器ではウェークアップ画面を表示させることはできなかった。したがって、ＬＣＤを備える余裕がなく、ＬＥＤ表示装置で処理結果を表示するようにしている電子楽器において、発音準備中であることを示すウェークアップ表示をできるものが望まれる。
【０００４】
本発明は、上記課題に鑑み、大型ＬＣＤを備える余裕がない比較的小型の電子楽器において、ウェークアップ表示をさせることができるＬＥＤ表示装置付き電子楽器を提供することを目的とする。
【０００５】
【課題を解決するための手段】
上記の課題を解決し、目的を達成するための本発明は、操作パネル面に配置された複数の表示用ＬＥＤを有するＬＥＤ表示装置付き電子楽器において、ＣＰＵのレジスタの初期化が終了した後、少なくとも音源装置の初期化およびエフェクト用ＤＳＰの初期化を含む発音準備が終了するまでの間、前記複数の表示用ＬＥＤを予定のウェークアップ表示パターンで点灯させる手段を具備した点に第１の特徴がある。
【０００６】
また、本発明は、前記表示用ＬＥＤが、操作パネル面に配置された複数の音色設定用ボタンを少なくとも含むパラメータ設定用ボタンのＬＥＤ表示部である点に第２の特徴があり、前記パラメータ設定用ボタンが、前記ＬＥＤ表示部を一体で組み込んでいる点に第３の特徴がある。
【０００７】
また、本発明は、前記表示用ＬＥＤの点灯が、発音準備後に使用されるテンポタイマを利用したタイマ割り込みによって行われる点に第４の特徴がある。
【０００８】
さらに本発明は、前記表示用ＬＥＤが多色発光ＬＥＤであり、前記ウェークアップ表示パターンが、点灯色のバリエーションを含む点に第５の特徴がある。
【０００９】
第１および第５の特徴によれば、発音準備中であることを表示できるので、ユーザはメインスイッチ投入後、発音が可能になるまでを、発音準備中であることを認識しながら待つことができる。
【００１０】
特に、表示用ＬＥＤを利用することによって、専用の表示手段もしくはＬＣＤ等の大型表示画面を持たないでもウェークアップ表示することができる。
【００１１】
第４の特徴によれば、テンポタイマをウェークアップ表示のためのタイマに兼用することができる。第５の特徴によれば、点灯のバリエーションを増加させることによって、発音準備中であることをより明確にユーザに認識させることができる。
【００１２】
【発明の実施の形態】
以下、図面を参照して本発明を詳細に説明する。図２は、本発明の一実施形態に係る電子楽器の平面図である。この電子楽器は具体的には電子ピアノである。電子ピアノ１の前部には鍵盤２が設けられ、後部には操作パネル３が設けられる。操作パネル３の中央付近には複数のパラメータ設定等の設定ボタン４やボリュームスイッチ５が設けられ、操作パネル３の両側にはそれぞれスピーカ６，７が設けられる。
【００１３】
図３は前記設定ボタン４のうち音色設定ボタンの拡大図である。音色設定ボタン４１は複数（この例では６個）設けられ、操作パネル３上に横一列に配置される。音色設定ボタン４１を押すことによって、ピアノやストリングス等、ユーザが所望する音色を設定することができる。音色設定ボタン４１は現在どの音色が選択されているかを認識できるように発光ダイオード（ＬＥＤ）の表示部４１ａを備える。このＬＥＤ表示部４１ａは、選択されてる音色を表示する機能を備えると共に、電子ピアノ１のメインスイッチが投入されてＣＰＵが立ち上がった後、発音準備が完了するまでの間、ウェークアップモードで動作する。ウェークアップモードでは、複数のＬＥＤ表示部４１ａを予定のパターンで点灯させる。詳細は後述する。
【００１４】
図４は、上記電子ピアノの要部ハード構成を示すブロック図である。電子ピアノ１は該電子ピアノ１の全体を制御するＣＰＵ８を有する。ＣＰＵ８は鍵盤２および操作パネル３上に設けられるスイッチやボタンから入力される検出信号によって予定の処理を行う。鍵盤２は押鍵・離鍵操作を感知する鍵盤スイッチまたはセンサを備え、キーオンデータ、キーオフデータ、ベロシティデータ等（鍵盤情報）を出力する。前記操作ボタン４のＬＥＤ表示部４１ａや図示しない表示灯は、各スイッチやボタンとＣＰＵ８の処理結果に応じて点灯される。電子ピアノ１には、ＭＩＤＩ入出力端子９やコンピュータインタフェース１０が設けられ、図示しないＭＩＤＩ機器やパソコンと通信可能である。
【００１５】
ＣＰＵ８は、鍵盤スイッチによって検出された押鍵・離鍵情報および操作パネル３上のスイッチ類の操作信号に基づいて演奏データを作成し、音源装置（音源ＬＳＩ）１１に出力する。音源装置１１は複数の楽音を同時発生できるように複数の楽音発生チャンネルを備え、例えば、正弦波加算方式で楽音を合成する。入力された演奏データに従って形成された波形データはＤＳＰ（デジタル・シグナル・プロセッサ）１２でエフェクトを付加され、さらにＤ／Ａ変換器１３でアナログ信号に変換される。このアナログ信号はアンプ１４を介してスピーカ６，７に入力され、楽音が出力される。
【００１６】
ＣＰＵ８は、鍵盤２や操作パネル３から入力されるデータだけでなく、ＭＩＤＩ入出力端子９とコンピュータインタフェース１０を通じて外部機器から入力されるデータを処理する。
【００１７】
次に、上記電子楽器の起動時の処理について説明する。例えば、電子楽器１の背面に設けられるメインスイッチを投入すると、電子楽器は初期設定を開始する。この初期設定が行われる間の予定時間に発音準備中を示すウェークアップ表示を行う。
【００１８】
図５は、初期設定のフローチャートである。ステップＳ１では、メインスイッチの投入によって電気的リセット信号が形成され、操作パネル３上の表示灯（ＬＥＤ表示部４１ａを含む）が消灯される。ステップＳ２では、ＣＰＵ８の各種レジスタが設定される。ゾーン設定、Ｉ／Ｏポート設定、およびＲＡＭクリア等である。ステップＳ３では、音源装置１１の消音（ミュート処理）を行う。ノイズ音を発生しないようにするためである。
【００１９】
ステップＳ４では、音源装置１１に備えられている複数のチャネルのレジスタを初期化する。ステップＳ５では、ＤＳＰ１２にエフェクト用のプログラムおよびパラメータを転送する。
【００２０】
ステップＳ６では、ＭＩＤＩデータ用バッファを初期化する。ステップＳ７では、操作パネル３の各レジスタ（テンポ、音色等設定用）を初期化する。ステップＳ８では、操作パネル３のＬＥＤ表示部に初期表示させるための設定を行う。
【００２１】
上記各処理が終わった後、メインルーチンが実行される。メインルーチンには、押鍵・離鍵処理（キーイベント処理）、パネルイベント処理、ＭＩＤＩ処理等が含まれる。
【００２２】
さらに、本実施形態の電子楽器では、上記初期設定の間に割り込み処理でウェークアップモードの処理を実行する。ウェークアップモードでは、複数のＬＥＤ表示部４１ａを予定のパターンで点灯・消灯させてユーザに発音準備中であることを認識させるウェークアップ表示を行う。このウェークアップモードの処理は、ＣＰＵ８の各種レジスタ設定が終了した後（ステップＳ２の後）に割り込み開始し、発音準備が終了するまで、継続される。発音準備は、少なくとも音源装置１１およびＤＳＰ１２の初期化（ステップＳ４，ステップＳ５）が終了することによって完了する。音源装置１１のミュート処理（ステップＳ３）を実行前に開始し、操作パネル３の初期表示用の設定（ステップＳ８）前まで続けるのが好ましい。
【００２３】
図６はウェークアップモードの割り込み処理のフローチャートであり、例えば、１００ミリ秒間隔でタイマ割り込み処理される。ステップＳ１０では、ＬＥＤ表示部４１ａの点灯パターンを記述したシーケンスを読み出す。このシーケンスはＲＯＭ等の記憶装置に、複数のＬＥＤ表示部４１ａを点灯させる順番を記憶させたものである。ステップＳ１０では、記憶されたシーケンスの最初のアドレスからシーケンスデータを読み出す。
【００２４】
ステップＳ１１では、このシーケンスデータに従って複数のＬＥＤ表示部４１ａのうち指示されたものを点灯させる。ステップＳ１２では、シーケンスの読み出しアドレスをインクリメント（＋１）する。ステップＳ１３では、インクリメントされたアドレスが所定値αをオーバーしたか否かを判断する。アドレスがオーバーしていない場合はステップＳ１０に進み、次の点灯パターンのデータを読み出す。次の点灯パターンのデータが読み出されたときに先に点灯しているＬＥＤ表示部４１ａは消灯させる。
【００２５】
アドレスが所定値αを超えたならば、シーケンスが終了したと判断されるのでステップＳ１４に進んでウェークアップモードを解除する。
【００２６】
このウェークアップモードの割り込みのためのタイマは専用でもよいが、演奏のテンポを制御するテンポタイマを使用することもできる。
【００２７】
なお、前記シーケンスを終了したときに発音準備が完了しているようにシーケンスの長さを設定し、このシーケンスが終了したときにウェークアップモードを解除するのであってもよいし、前記ステップＳ８が終わったのをトリガとしてウェークアップモードを解除してもよい。
【００２８】
ステップＳ８の終了をトリガとする場合、同じシーケンスを繰り返し読み出してもよいし、複数種類の点灯パターンを準備し、順番に点灯パターンを変えてもよい。
【００２９】
ＬＥＤ表示部４１ａの点灯パターンでは、点灯順序だけでなく、点灯時間や点灯色を指定してもよい。ＬＥＤ表示部４１ａを構成するＬＥＤを複数のＬＥＤ素子を含んだ多色発光可能なものにし、点灯色を変えたパターンを設定することによって点灯パターンのバリエーションを増やすことができる。
【００３０】
図１は、ウェークアップモードのための要部機能を示すブロック図である。点灯パターン記憶部１６は、発音準備中であることを表示するためのＬＥＤ点灯パターンを記憶したシーケンスが格納される。シーケンスは複数設定し、ランダムに、もしくは起動毎に予定の順序でシーケンスを選択して読み出せる、また更には選択モードを持ちそのモードで選択された点灯パターンを不揮性メモリに記憶しておき、電源投入時に読み出せるようにするのが好ましい。ＣＰＵ初期化検出部１７はＣＰＵ８のレジスタの設定が完了したことを検出して検出信号を出力する。発音準備完了検出部１８は音源装置１１とＤＳＰ１２の初期化が完了したことを検出して検出信号を出力する。これらの検出は、それぞれの初期化完了時にセットされるフラグを判別して行うことができる。タイマ１９は所定の割り込み時間毎にタイムアップしてトリガを発生する。ＣＰＵ初期化検出部１７およびタイマ１９によるトリガと、発音準備完了検出部１８の非検出信号の反転信号によってゲート２０が開かれている間、読み出し部２１によって点灯パターン記憶部１６のシーケンスが１ステップずつ点灯用データが読み出され、ＬＥＤドライバ２２に供給される。ＬＥＤドライバ２２は供給された点灯用データに従って表示用ＬＥＤとしてのＬＥＤ表示部４１ａが点灯される。
【００３１】
発音準備が完了すると、発音準備完了検出部１８は検出信号を出力するので、その反転信号によってゲート２０は閉じられ、ウェークアップ表示は停止される。尚、発音準備完了検出部は必ずしも必須ではない。例えば図５においてステップＳ２終了後に、タイマを利用したウェークアップ表示を起動し、ステップＳ６終了後にウェークアップ表示を停止させても良い。ＬＥＤ表示部４１ａはウェークアップ表示を終了した後は、図示しない発音準備完了後のアルゴリズムに従い、ボタン４１の操作に応答して音色設定表示等を行う。
【００３２】
本実施形態では、音色設定用ボタンに設けられたＬＥＤ表示部４１ａを利用してウェークアップ表示を行ったが、ウェークアップ表示のためのＬＥＤ表示装置はこれに限らない。他のパラメータ設定用ボタンのＬＥＤ表示部を使ってもよいし、これらボタンと一体に設けられたＬＥＤに限らず、これらのボタンの操作と関連して表示を行う別配置のＬＥＤを使用することができる。要は、発音のための初期設定終了まで他に用いることがない表示用ＬＥＤを、初期設定が終了するまでの一定時間ウェークアップ表示用のパターンに従って点灯できればよい。
【００３３】
【発明の効果】
以上の説明から明らかなように、請求項１〜５の発明によれば、表示ＬＥＤを使用して発音準備中であることを表示することができる。したがって、ＬＣＤ等大型の画面や専用の表示装置を設けていない電子楽器において、ユーザは発音準備が完了するのを何の案内もなく待つということがなくなる。
【００３４】
また、本発明によれば、パラメータ設定用ボタンにＬＥＤ表示部を組み込んで操作パネル面のスペースを有効に利用した電子楽器において発音準備中の表示を行うことができる。
【００３５】
さらに、多色発光ＬＥＤで表示色にバリエーションを与えることができるので、待ち時間の間ユーザの目を楽しませることができる効果がある。
【図面の簡単な説明】
【図１】本発明の一実施形態に係る電子ピアノのウェークアップモードの要部機能を示すブロック図である。
【図２】本発明の一実施形態に係る電子ピアノの平面図である。
【図３】音色設定ボタンの拡大図である。
【図４】本発明の一実施形態に係る電子ピアノの要部構成を示すブロック図である。
【図５】電子ピアノの初期設定のフローチャートである。
【図６】ウェークアップモードの割り込み処理を示すフローチャートである。
【符号の説明】
１…電子ピアノ、　２…鍵盤、　３…操作パネル、　４…設定ボタン、　８…ＣＰＵ、　１１…音源装置、　１２…ＤＳＰ、　１６…点灯パターン記憶部、　１７…ＣＰＵ初期化検出部、　１８…発音準備完了検出部、　１９…タイマ、　２１…読み出し部、　２２…ＬＥＤドライバ、　４１…音色設定ボタン、　４１…ＬＥＤ表示部
【図１】
2004133136.tif 000003
【図２】
2004133136.tif 000004
【図３】
2004133136.tif 000005
【図４】
2004133136.tif 000006
【図５】
2004133136.tif 000007
【図６】
2004133136.tif 000008